(57)【要約】      （修正有）【課題】連結部を後頭部に対応させた状態で着用するので外見上連結部が目立つのを防ぐことによりファッション性が低下するのを防止すると共に取り外してもヘアースタイルや髪が乱れるのを可及的に防ぐことができる防寒用耳当を提供する。【解決手段】防寒用耳当１０の後頭部対応連結部１２は平面視略Ｕ字状に形成されており、この後頭部対応連結部１２の一端部には第１耳カバー部１４が一体形成され、他端部には第２耳カバー部１６が一体形成されている。防寒用耳当１０の内部には線状芯材２０が配設されている。この線状芯材２０を構成する金属製ワイヤーは第１耳カバー部１４と第２耳カバー部１６が互いに接近するように付勢されている。第１耳カバー部１４の内側面にはゴム等で形成された拘束バンド２６が設けられている。【選択図】図１
0003102027.tif 000002
【実用新案登録請求の範囲】
【請求項１】
後頭部を挟むようにして対応する平面視略Ｕ字形状に形成された後頭部対応連結部と、この後頭部対応連結部の一端部に連設されて一方の耳を覆う第１耳カバー部と、前記後頭部対応連結部の他端部に連設されて他方の耳を覆う第２耳カバー部と、前記第１耳カバー部と後頭部対応連結部と第２耳カバー対応部に連続して内蔵される線状芯材と、この線状芯材を構成すると共に前記第１耳カバー部と前記第２耳カバー部を接近方向に付勢する金属製ワイヤーと、この金属製ワイヤーが密着挿入されると共に金属製ワイヤーと共に前記線状芯材を形成する筒状被覆体と、前記線状芯材の一部であって前記第１耳カバー部に内蔵されるリング状の第１耳カバー対応芯部と、前記線状芯材の一部であって前記後頭部対応連結部に内蔵される直線状の後頭部対応連結部対応芯部と、前記線状芯材の一部であって前記第２耳カバー部に内蔵されるリング状の第２耳カバー対応芯部と、を有してなることを特徴とする防寒用耳当。
【請求項２】
後頭部を挟むようにして対応する平面視略Ｕ字形状に形成された後頭部対応連結部と、この後頭部対応連結部の一端部に連設されて一方の耳を覆う第１耳カバー部と、前記後頭部対応連結部の他端部に連設されて他方の耳を覆う第２耳カバー部と、前記第１耳カバー部と後頭部対応連結部と第２耳カバー対応部に連続して内蔵される線状芯材と、この線状芯材を構成すると共に前記第１耳カバー部と前記第２耳カバー部を接近方向に付勢する金属製ワイヤーと、この金属製ワイヤーが密着挿入されると共に金属製ワイヤーと共に前記線状芯材を形成する筒状被覆体と、前記線状芯材の一部であって前記第１耳カバー部に内蔵されるリング状の第１耳カバー対応芯部と、前記線状芯材の一部であって前記後頭部対応連結部に内蔵される直線状の後頭部対応連結部対応芯部と、前記線状芯材の一部であって前記第２耳カバー部に内蔵されるリング状の第２耳カバー対応芯部と、前記第１耳カバー部又は第２耳カバー部の少なくとも一方の内側面に設けられると共に一端部と他端部が前記第１耳カバー部又は第２耳カバー部に固定された拘束バンドと、を有してなることを特徴とする防寒用耳当。
【考案の詳細な説明】
【技術分野】
【０００１】
本考案は、冷気や風等から耳を守って耳を保温する防寒用耳当に関する。
【背景技術】
【０００２】
従来より冷気や風等から耳を覆って耳を保温する防寒用耳当が広く知られている。
従来の防寒用耳当は、ヘッドホンのようにプラスチックスで形成された略逆Ｕ字状の連結部を頭の頭頂部及び側頭部に対応させると共に連結部の一端部と他端部に設けられた耳カバー部を耳に当てて耳を覆うようにして使用するようになっている。
しかし、上述したように従来の防寒用耳当は連結部が頭の頭頂部から側頭部に位置してしまい連結部が目立ってしまって外見上ファッション性に欠けるという不具合がある。
また、使用している防寒用耳当を取り外すと前記連結部は頭頂部及び側頭部に位置していたためヘアースタイルや髪を乱してしまうという不具合がある。
【考案の開示】
【考案が解決しようとする課題】
【０００３】
本考案は、上記事実に鑑みなされたものであり連結部を後頭部に対応させた状態で着用するので外見上連結部が目立つのを防止してファッション性が低下するのを防ぐと共に取り外してもヘアースタイルや髪が乱れるのを可及的に防止することができる防寒用耳当を提供するものである。
【課題を解決するための手段】
【０００４】
請求項１の考案は、後頭部を挟むようにして対応する平面視略Ｕ字形状に形成された後頭部対応連結部と、この後頭部対応連結部の一端部に連設されて一方の耳を覆う第１耳カバー部と、前記後頭部対応連結部の他端部に連設されて他方の耳を覆う第２耳カバー部と、前記第１耳カバー部と後頭部対応連結部と第２耳カバー対応部に連続して内蔵される線状芯材と、この線状芯材を構成すると共に前記第１耳カバー部と前記第２耳カバー部を接近方向に付勢する金属製ワイヤーと、この金属製ワイヤーが密着挿入されると共に金属製ワイヤーと共に前記線状芯材を形成する筒状被覆体と、前記線状芯材の一部であって前記第１耳カバー部に内蔵されるリング状の第１耳カバー対応芯部と、前記線状芯材の一部であって前記後頭部対応連結部に内蔵される直線状の後頭部対応連結部対応芯部と、前記線状芯材の一部であって前記第２耳カバー部に内蔵されるリング状の第２耳カバー対応芯部と、を有してなることを特徴としている。
請求項２の考案は、後頭部を挟むようにして対応する平面視略Ｕ字形状に形成された後頭部対応連結部と、この後頭部対応連結部の一端部に連設されて一方の耳を覆う第１耳カバー部と、前記後頭部対応連結部の他端部に連設されて他方の耳を覆う第２耳カバー部と、前記第１耳カバー部と後頭部対応連結部と第２耳カバー対応部に連続して内蔵される線状芯材と、この線状芯材を構成すると共に前記第１耳カバー部と前記第２耳カバー部を接近方向に付勢する金属製ワイヤーと、この金属製ワイヤーが密着挿入されると共に金属製ワイヤーと共に前記線状芯材を形成する筒状被覆体と、前記線状芯材の一部であって前記第１耳カバー部に内蔵されるリング状の第１耳カバー対応芯部と、前記線状芯材の一部であって前記後頭部対応連結部に内蔵される直線状の後頭部対応連結部対応芯部と、前記線状芯材の一部であって前記第２耳カバー部に内蔵されるリング状の第２耳カバー対応芯部と、前記第１耳カバー部又は第２耳カバー部の少なくとも一方の内側面に設けられると共に一端部と他端部が前記第１耳カバー部又は第２耳カバー部に固定された拘束バンドと、を有してなることを特徴としている。
【考案の効果】
【０００５】
本考案の防寒用耳当は、確実に着用できて耳を保温することができることは勿論、着用する場合に連結部が後頭部に対応するので連結部が目立つのを防止してファッション性が低下するのを防止することができるという優れた効果を有する。
また、本考案の防寒用耳当は、連結部は後頭部に対応するので取り外した場合もヘアースタイルを乱したり髪を乱したりするのを可及的に防止することができるという優れた効果を有する。
さらに、請求項２の防寒用耳当は、上記優れた効果の他にコンパクトにできるので保管する場合や携帯する場合に嵩張らず便利であるという優れた効果を有する。
【考案を実施するための最良の形態】
【０００６】
考案を実施するために最良の形態の例として以下のような実施例を示す。
【実施例１】
【０００７】
図１〜図５には本考案の防寒用耳当の一実施例が示されている。
図１、図２、図５に示されるように、防寒用耳当１０は一定の肉厚を有して布等の適宜材料で一体形成されている。
この防寒用耳当１０の後頭部対応連結部１２は平面視略Ｕ字状に形成されて着用者１の後頭部２を挟むようにして取り付けることができるようになっている。
この後頭部対応連結部１２の一端部には一方の耳３を覆う第１耳カバー部１４が一体形成され、他端部には他方の耳３を覆う第２耳カバー部１６が一体形成されている。従って、前記第１耳カバー部１４と第２耳カバー部１６は対向して形成され、着用者１の耳３を覆って保温できるようになっている。
これら第１耳カバー部１４及び第２耳カバー部１６は前記後頭部対応連結部１２よりも上下寸法が大きい側面視略楕円形状に形成されると共に図２に示されるように外側に少し膨らんで形成されている。従って、前記防寒用耳当１０を着用した場合は耳３は前記第１耳カバー部１４と第２耳カバー部１６によってそれぞれ完全にカバーされるようになっている。
図１及び図２に示されるように、前記防寒用耳当１０の内部には線状芯材２０が配設されている。図４に示されるように、この線状芯材２０は弾性を有する金属製ワイヤー２２を細長い筒状の被覆体２４に密着挿入することにより線状に形成されている。金属製ワイヤー２２を被覆体２４に密着挿入することにより金属製ワイヤー２２が錆びることを防止すると共に万が一金属製ワイヤー２２が折れたりしても被覆体２４によって金属製ワイヤー２２が外に飛び出すことを防止できるようになっている。
図１及び図２に示されるように、前記線状芯材２０の後頭部対応連結部芯部２０Ａは直線状に形成されて前記後頭部対応連結部１２に内蔵されるようになっている。この後頭部対応連結部芯部２０Ａの一端部にはリング状に第１耳カバー対応芯部２０Ｂが連続形成されて前記第１耳カバー部１４に内蔵されるようになっている。また、前記後頭部対応連結部芯部２０Ａの他端部にはリング状に第２耳カバー対応芯部２０Ｃが連続形成されて前記第２耳カバー部１６に内蔵されるようになっている。これら第１耳カバー対応芯部２０Ｂと第２耳カバー対応芯部２０Ｃをリング状に形成することにより前記第１耳カバー部１４及び前記第２耳カバー部１６の形状を確実に維持することができるようになっている。
また、前記線状芯材２０を構成する金属製ワイヤー２２は前記第１耳カバー部１４と前記第２耳カバー部１６が互いに接近するように付勢されている。このため前記防寒用耳当１０を着用した場合に前記第１耳カバー部１４と前記第２耳カバー部１６が両側から挟みつける状態になるので、防寒用耳当１０は確実に取り付けられて滑り落ちないようになっている。
図２に示されるように、前記第１耳カバー部１４の内側面にはゴム等で形成された拘束バンド２６が配設されている。この拘束バンド２６の上端部２６Ａと下端部２６Ｂは前記第１耳カバー部１４に縫い付けられている。
従って、図４に示されるように前記第２耳カバー部１６を第１耳カバー部１４の内側に配設して第２耳カバー部１６を拘束バンド２６に嵌めることにより防寒用耳当１０を丸くコンパクトにすることができる。
【０００８】
前記実施例の防寒用耳当１０の作用について説明する。
この防寒用耳当１０を着用する場合は、一方の手で第１耳カバー部１４を持って他方の手で第２耳カバー部１６を持って第１耳カバー部１４と第２耳カバー部１６を離間方向に少し引っ張って広げると共に後頭部対応連結部１２を着用者１の後頭部２に対応させて第１耳カバー部１４と第２耳カバー部１６を装着者１の耳に覆うようにする。
そして、両手を第１耳カバー部１４と第２耳カバー部１６から離すことにより線状芯材２０の金属製ワイヤー２２が弾性復帰し、第１耳カバー部１４及び第２耳カバー部１６が耳を完全にカバーすると共に第１耳カバー部１４と第２耳カバー部１６が着用者１の頭部を左右から挟むようになるので防寒用耳当１０を確実に取り付けることができる。
従って、防寒用耳当１０は第１耳カバー部１４と第２耳カバー部１６が着用者１の耳３
を完全に覆った状態で着用されるため、耳３を冷気や風から守って保温することができる。
また、防寒用耳当１０の後頭部対応連結部１２は、着用者１の後頭部２に位置して頭部の頭頂部や側頭部に位置しないため後頭部対応連結部１２があまり目立たないのでファッション性が低下するのを防止することができる。さらに、防寒用耳当１０の後頭部対応連結部１２は後頭部２に位置するため着用者１が予めカチューシャやヘアバンドをしていてもカチューシャやヘアバンドに影響されることなく防寒用耳当１０を着用することができる。
また、前記防寒用耳当１０の後頭部対応連結部１２は着用者１の後頭部２に対応するので取り外した後にヘアースタイルが乱れたり髪が乱れたりすることを可及的に防止することができる。
なお、前記金属製ワイヤー２２は被覆体２４に密着挿入されているので金属製ワイヤー２２が錆びるのを防ぐことができるため防寒用耳当１０の耐久期間を延ばすことができると共に万が一金属製ワイヤー２２が折れたりしても被覆体２４によって金属製ワイヤー２２が外に飛び出すことを防止することができる。
また、防寒用耳当１０は図４に示されるように第２耳カバー部１６を第１耳カバー部１４の内側に配設して第２耳カバー部１６を拘束バンド２６に嵌めることにより防寒用耳当１０を丸くコンパクトにすることができるので、防寒用耳当１０を保管する場合や携帯する場合に便利である。
【０００９】
なお、実施例の防寒用耳当１０においては拘束バンド２６を第１耳カバー部１４の内側面に設けた場合について説明したが、拘束バンド２６は第２耳カバー部１６の内側面に設けてもよく、あるいは第１耳カバー部１４の内側面及び第２耳カバー部１６の内側面の両方に拘束バンド２６に設けてもよいことは勿論である。
【図面の簡単な説明】
【００１０】
【図１】実施例の防寒用耳当の斜視図である。
【図２】実施例の防寒用耳当を上方から見た斜視図である。
【図３】実施例の防寒用耳当をコンパクトにした状態の平面図である。
【図４】実施例の防寒用耳当の線状芯材の斜視図である。
【図５】実施例の防寒用耳当を着用した状態の側面図である。
【符号の説明】
【００１１】
１０    防寒用耳当
１２    後頭部対応連結部
１４    第１耳カバー部
１６    第２耳カバー部
２０    線状芯材
２０Ａ  後頭部対応連結部芯部
２０Ｂ  第１耳カバー対応芯部
２０Ｃ  第２耳カバー対応芯部
２２    金属製ワイヤー
２４    被覆体
２６    拘束バンド
【図１】
0003102027.tif 000003
【図２】
0003102027.tif 000004
【図３】
0003102027.tif 000005
【図４】
0003102027.tif 000006
【図５】
0003102027.tif 000007